(57)【要約】【課題】  本発明は、ユーザが排出トレイ上にシートを戻す動作に対してユーザビリティ（使い易さ）を低下することがないシート給送装置を提供することを可能にすることを目的としている。【解決手段】  ＡＤＦ４の給送部７によって排出されたシート状原稿100を受ける排出トレイ２と、該排出トレイ２上に排出されたシート状原稿100を上から押さえる押え部材３と、を備え、該押え部材３は、回動支点31を中心に回動可能に支持され、先端部33が最下点32よりも高い位置に設けられたことを特徴とする。【選択図】      図１
2015229573.tif 000002
【特許請求の範囲】
【請求項１】
排出手段によって排出されたシートを受ける排出トレイと、
前記排出トレイ上に排出されたシートを上から押さえる押え部材と、
を備え、
前記押え部材は、回動支点を中心に回動可能に支持され、先端部が最下点よりも高い位置に設けられたことを特徴とするシート給送装置。
【請求項２】
排出手段によって排出されたシートを受ける排出トレイと、
前記排出トレイ上に排出されたシートを上から押さえる押え部材と、
を備え、
前記押え部材は、回動支点を中心に回動可能に支持され、前記回動支点から先端部に行くに従って、側面が装置奥方向に傾斜していることを特徴とするシート給送装置。
【請求項３】
前記側面の装置奥方向への傾斜幅は、前記押え部材の長さの３割以上であることを特徴とする請求項２に記載のシート給送装置。
【請求項４】
前記シートは、シート状原稿からなることを特徴とする請求項１〜３のいずれか１項に記載のシート給送装置。
【請求項５】
請求項４に記載のシート給送装置により給送されるシート状原稿の原稿画像を読み取る画像読取手段を有することを特徴とする画像読取装置。
【発明の詳細な説明】
【技術分野】
【０００１】
本発明は、原稿給送装置として使用可能なシート給送装置及びこれを備えた画像読取装置に関するものである。
【背景技術】
【０００２】
給送トレイに積載された原稿を自動給送するＡＤＦ（Auto Document Feeder；自動原稿搬送装置）では、原稿が給送部により分離搬送される。その後、原稿画像の読み取りを終えた後に排出ローラにより排出トレイ上に排出されて順次積載されていく。
【０００３】
排出トレイ上に原稿が積載される際、原稿の排出速度によっては、積載される原稿が慣性、或いは原稿同士の摩擦力によって排出トレイ上から落ちてしまうことがある。これを防ぐために特許文献１では原稿の排出位置に原稿押え部材を取り付けている。このように原稿押え部材を取り付けることによって、原稿の排出位置のバラツキを低減し、原稿が排出トレイから落下することを防止することができる。また、特許文献２では排出トレイの排出口の上部に揺動可能な用紙押さえを設けている。
【先行技術文献】
【特許文献】
【０００４】
【特許文献１】特開２０１１−０２０７８３号公報
【特許文献２】特開平０９−０７７３３９号公報
【発明の概要】
【発明が解決しようとする課題】
【０００５】
しかしながら、特許文献１、２の構成は、原稿押え部材や用紙押さえ（以下、「押え部材」という）の先端部が排出トレイや原稿等の用紙に触れる。このような構成では、例えば、ＡＤＦの正面側や側面側（排出方向と逆方向）から原稿を排出トレイに戻す必要に迫られたときに、戻す原稿が押え部材に妨げられて原稿を戻すことが難しい。
【０００６】
原稿を排出トレイに戻す状況としては次のような状況が考えられる。例えば、数十枚の両面原稿をＡＤＦに読み取らせる場合には数分かかる。このため読み取り中にＡＤＦから離れているユーザは多い。そのため次のユーザは前のユーザが取り忘れた原稿が排出トレイに残ったままＡＤＦを使う場合がある。
【０００７】
このような状況では、ユーザは前ユーザの原稿と読み取り終わった自身の原稿を排出トレイから取り出し、自身の原稿以外を一旦排出トレイ上に戻すことを行っている。このような状況に備えて押え部材は、ＡＤＦの正面側や側面側から排出トレイ上に原稿を戻す際に支障が無い構成であることが望まれる。
【０００８】
例えば、図８に示す比較例の構成では、排出トレイ２の上方で給送トレイ１の下面に略長方形状の押え部材30を回動自在に設けたものである。このような構成でＡＤＦ４の側面側（図８の右側）から排出トレイ２上に前のユーザが取り忘れた原稿101束を戻す場合を考慮する。この構成では、原稿101束が押え部材30の上面に乗り上げてしまうため排出トレイ２上に前のユーザが取り忘れた原稿101束を戻すことができない。
【０００９】
また、ＡＤＦ４の正面側（図８の手前側）から排出トレイ２上に前のユーザが取り忘れた原稿101束を戻す場合には以下の問題がある。原稿100の排出方向（図８の左右方向）と略平行な側面を持つ押え部材30の形状では、該押え部材30の下側に原稿101束を挿し込んで該押え部材30を持ち上げることが困難であった。
【００１０】
本発明は前記課題を解決するものであり、その目的とするところは、ユーザが排出トレイ上にシートを戻す動作に対してユーザビリティ（使い易さ）を低下することがないシート給送装置を提供するものである。
【課題を解決するための手段】
【００１１】
前記目的を達成するための本発明に係るシート給送装置の代表的な構成は、排出手段によって排出されたシートを受ける排出トレイと、前記排出トレイ上に排出されたシートを上から押さえる押え部材と、を備え、前記押え部材は、回動支点を中心に回動可能に支持され、先端部が最下点よりも高い位置に設けられたことを特徴とする。
【発明の効果】
【００１２】
上記構成によれば、ユーザが排出トレイ上にシートを戻す動作に対してユーザビリティ（使い易さ）を低下することなく、排出トレイ上に排出されるシートの排出位置のバラツキを低減することができる。
【図面の簡単な説明】
【００１３】
【図１】本発明に係るシート給送装置を備えた画像読取装置の構成を示す斜視説明図である。
【図２】本発明に係るシート給送装置を備えた画像読取装置において給送トレイを省略して押え部材を見せた平面説明図である。
【図３】本発明に係るシート給送装置を備えた画像読取装置の構成を示す正面説明図である。
【図４】（ａ）〜（ｃ）は押え部材の構成を示す平面図、正面図及び側面図である。
【図５】（ａ），（ｂ）は原稿排出時の押え部材の回動動作を説明する正面説明図である。
【図６】（ａ）〜（ｃ）は原稿束をＡＤＦの右側面側から排出トレイ上に戻すときの押え部材の回動動作を説明する正面説明図である。
【図７】（ａ），（ｂ）は原稿束をＡＤＦの正面側から排出トレイ上に戻すときの押え部材の回動動作を説明する平面説明図及び側面説明図である。
【図８】比較例の押え部材の構成を示す正面説明図である。
【発明を実施するための形態】
【００１４】
図により本発明に係るシート給送装置を備えた画像読取装置の一実施形態を具体的に説明する。尚、本発明の技術的範囲は以下に記述する実施形態に限定されるものではなく、発明の構成要件やその組み合わせによって得られる特定の効果を導き出せる範囲において、種々の変更や改良を加えた形態も含むものである。
【００１５】
図１は本発明に係るシート給送装置を原稿給送装置として備えた画像読取装置の構成を示す斜視説明図である。図２は説明の都合上、給送トレイを省略して押え部材を見せた画像読取装置の平面説明図である。図３は本発明に係るシート給送装置を原稿給送装置として備えた画像読取装置の構成を示す正面説明図である。図４は押え部材の構成を示す平面図、正面図及び側面図である。
【００１６】
＜画像読取装置＞
図１〜図３に示すように、本実施形態の画像読取装置５は、シート状の原稿100（シート状原稿）を自動給送するシート給送装置となるＡＤＦ（Auto Document Feeder；自動原稿搬送装置）４を有する。更に、該ＡＤＦ４により給送される原稿100の原稿画像を読み取る画像読取手段となる読取部６とを有して構成される。
【００１７】
＜シート給送装置＞
ＡＤＦ４には、原稿100を載置する給送トレイ１と、該給送トレイ１上の原稿100を給送する給送手段と、該給送手段により給送された原稿100を排出する排出手段と、該排出手段によって排出された原稿100を受ける排出トレイ２とを有する。更に、給送トレイ１の下面に設けられた回動支点31を中心に回動可能に支持され、排出トレイ２上（排出トレイ上）に排出された原稿100を上から押さえる押え部材３とが設けられている。
【００１８】
尚、給送トレイ１上の原稿100を給送する給送手段と、読取部６により原稿画像が読み取られた原稿100を排出トレイ２上に排出する排出手段とは、給送ローラ等を有する給送部７により構成される。
【００１９】
＜押え部材＞
本実施形態の押え部材３は、図４（ａ）〜（ｃ）に示すように、回動支点31側に平板部35が設けられ、該平板部35には最下点32を境に上に向かって湾曲した湾曲部34が接続されている。平板部35及び湾曲部34は、図４（ａ）に示すように、上から透視すると、略台形状で構成されている。このような構成により本実施形態の押え部材３は、図１、図３及び図４に示すように、回動支点31とは反対側の先端部33が最下点32よりも高い位置に設けられている。
【００２０】
更に、図１、図２及び図４に示すように、本実施形態の押え部材３は、回動支点31から先端部33に行くに従って側面部36が装置奥方向（図２の中心方向）に傾斜している。図２に示すように、押え部材３の側面部36の装置奥方向への傾斜幅Ｗは、該押え部材３の回動支点31から先端部33までの長さの３割以上に設定されている。
【００２１】
図１〜図３及び図５（ａ），（ｂ）に示すように、ＡＤＦ４において給送トレイ１上に積載された原稿100束は、給送部７により一枚ずつ分離給送される。その後、読取部６により原稿画像が読み取られる。その後、排出手段となる図示しない排出ローラによって排出トレイ２の上に原稿100が排出されて順次積載されていく。図５（ａ），（ｂ）は原稿100が排出トレイ２上に排出されるときの押え部材３の回動動作を示す。
【００２２】
図５（ａ），（ｂ）に示すように、排出トレイ２上に順次排出される原稿100が積載される際には、押え部材３は以下の回動動作を行なう。排出手段となる図示しない排出ローラにより排出される原稿100により押え部材３の下面が該押え部材３の自重に抗して図５（ｂ）の上方に押される。これにより該押え部材３は回動支点31を中心に図５（ｂ）の矢印で示す反時計回り方向に回動する。その後、押え部材３は、自重により排出トレイ２上に順次排出される原稿100の上面に当接して上から排出トレイ２上に積載された原稿100を付勢する。これにより排出トレイ２上に排出される原稿100の排出位置のバラツキを低減することができる。
【００２３】
＜ＡＤＦの側面側から排出トレイ上に原稿束を戻す操作＞
図６（ａ）〜（ｃ）は、ユーザがＡＤＦ４の側面側（図６（ａ）〜（ｃ）の右側）から排出トレイ２上に前のユーザが取り忘れた原稿101束を原稿100の排出方向とは反対方向（図６の左方向）に戻す際の押え部材３の回動動作を示す。図６（ａ）に示すように、ユーザがＡＤＦ４の側面側（図６（ａ）〜（ｃ）の右側）から排出トレイ２上に前のユーザが取り忘れた原稿101束を戻す場合がある。その際に、押え部材３の最下点32から先端部33に至る上方に湾曲した湾曲部34の下面に該原稿101束が当接する。
【００２４】
更に、原稿101束を図６（ｂ），（ｃ）の左方向に押し込むと、押え部材３が回動支点31を中心に図６（ｂ），（ｃ）の反時計回り方向に回動して該押え部材３が持ち上がる方向に力が加わる。このため押え部材３は回動支点31を中心に図６（ｂ），（ｃ）の反時計回り方向に回動する。押え部材３が図６（ｂ），（ｃ）の上方に退避することで、排出トレイ２上に原稿101束を戻すことが可能となる。
【００２５】
＜ＡＤＦの正面側から排出トレイ上に原稿束を戻す操作＞
図７（ａ），（ｂ）は、ユーザがＡＤＦ４の正面側（図７（ａ），（ｂ）の左側）から排出トレイ２上に前のユーザが取り忘れた原稿101束を戻す際の押え部材３の回動動作を示す。図７（ａ），（ｂ）に示すように、ユーザがＡＤＦ４の正面側（図７（ａ），（ｂ）の左側）から排出トレイ２上に前のユーザが取り忘れた原稿101束を戻す場合がある。
【００２６】
その際に、押え部材３が回動支点31から先端部33に行くに従って装置奥方向（図７（ａ），（ｂ）の右方向）に傾斜している側面部36を有する。これによりＡＤＦ４の正面側（図７（ａ），（ｂ）の左側）から排出トレイ２上に図７（ａ），（ｂ）の矢印で示す右方向に戻される原稿101は、図７（ｂ）に示すように、押え部材３の側面部36の下面に当接する。
【００２７】
これにより押え部材３が回動支点31を中心に図３の反時計回り方向に回動して図７（ｂ）の矢印で示す上昇する方向に力が発生し、該押え部材３が図７（ｂ）の上方に退避する。これによりＡＤＦ４の正面側（図７（ａ），（ｂ）の左側）から排出トレイ２上に前のユーザが取り忘れた原稿101束を戻すことが可能となる。
【００２８】
本実施形態では、上記構成の押え部材３を排出トレイ２の上方で給送トレイ１の下面に回動自在に取り付ける。これによりＡＤＦ４の正面側（図７（ａ），（ｂ）の左側）及び側面側（図６（ａ）〜（ｃ）の右側）から排出トレイ２上に前のユーザが取り忘れた原稿101束を戻すことが容易にできる。これによりユーザビリティ（使い易さ）を損なうことなく、排出トレイ２上に排出される原稿100の積載位置のバラツキを低減することができた。
【００２９】
図５（ａ），（ｂ）に示すように、本実施形態の押え部材３は、原稿100の排出時には、図示しない排出ローラから排出された原稿100により持ち上げられる。その後、排出トレイ２上に排出されて積載された原稿100の上面に当接して上から該原稿100を付勢する。これにより排出トレイ２上に排出された原稿100の排出位置のバラツキを低減させることができる。
【００３０】
また、図６（ａ）〜（ｃ）に示すように、ユーザがＡＤＦ４の側面側（図６（ａ）〜（ｃ）の右側）から排出トレイ２上に前のユーザが取り忘れた原稿101束を戻す。その際には、押え部材３の最下点32から先端部33までの上向き形状の湾曲部34の下面に原稿101束が当接する。これにより押え部材３が回動支点31を中心に図６（ａ）〜（ｃ）の反時計回り方向に回動して排出トレイ２の上方に退避する。これにより排出トレイ２上に前のユーザが取り忘れた原稿101束を戻すことが可能となる。
【００３１】
更に、図７（ａ），（ｂ）に示すように、ユーザがＡＤＦ４の正面側（図７（ａ），（ｂ）の左側）から排出トレイ２上に前のユーザが取り忘れた原稿101束を戻す。その際には、押え部材３が回動支点31から先端部33に行くに従って装置奥方向に傾斜した側面部36を有する。これによりＡＤＦ４の正面側（図７（ａ），（ｂ）の左側）から戻される原稿101束を押え部材３の側面部36の底面に当接させることができる。これにより押え部材３が回動支点31を中心に図３の反時計回り方向に回動して上昇する方向に力が発生し、押え部材３が排出トレイ２の上方に退避して該排出トレイ２上に原稿101束を戻すことが可能となる。
【００３２】
尚、本実施形態では、原稿給送装置として使用可能なシート給送装置に適用した一例であるが、他に画像形成装置の排出トレイの上部に上記構成の押え部材３を取り付けることも可能である。このような構成であっても排出トレイ上に排出されるシートの排出位置のバラツキを低減することができる。また、前のユーザが取り残したシート束を排出トレイ上に容易に戻すことが出来る。
【符号の説明】
【００３３】
２    …排出トレイ
３    …押え部材
４    …ＡＤＦ(シート給送装置)
７    …給送部(排出手段)
31    …回動支点
32    …最下点
33    …先端部
100   …原稿(シート;シート状原稿)
【図１】
2015229573.tif 000003
【図２】
2015229573.tif 000004
【図３】
2015229573.tif 000005
【図４】
2015229573.tif 000006
【図５】
2015229573.tif 000007
【図６】
2015229573.tif 000008
【図７】
2015229573.tif 000009
【図８】
2015229573.tif 000010